(57)【要約】従来よりも多くの導電性接着剤を使用しても電極同士の短絡を効果的に防止するとともに、電子部品とフレキシブル回路シートの固着力を高めることのできるフレキシブル回路基板及びフレキシブル回路基板の製造方法を提供すること。フレキシブル回路シート９に電極３を有する電子部品２を実装して形成されるフレキシブル回路基板１。フレキシブル回路シート９は、樹脂フィルムからなる基材４と、基材４に形成された貫通孔５と、基材４の一面側から貫通孔５を覆う、回路パターンとなる導電層７と、を有し、電子部品２の電極３が基材４の他面側から貫通孔５を通じて導電層７上に載置されているとともに、貫通孔５内に導電性接着剤を硬化した導電性接着部６が形成されている。【選択図】図２
2017169421.tif 000002
【特許請求の範囲】
【請求項１】
フレキシブル回路シートに電極を有する電子部品を実装して形成されるフレキシブル回路基板であって、
前記フレキシブル回路シートは、
樹脂フィルムからなる基材と、
前記基材に形成された貫通孔と、
前記基材の一面側から前記貫通孔を覆う、回路パターンとなる導電層と、
を有し、前記電子部品の前記電極が前記基材の他面側から前記貫通孔を通じて前記導電層上に載置されているとともに、前記貫通孔内に導電性接着剤が硬化した導電性接着部が形成されているフレキシブル回路基板。
【請求項２】
前記導電層の前記基材側と反対側の表面を覆う第１保護層を有する請求項１記載のフレキシブル回路基板。
【請求項３】
前記導電性接着部と前記電極との接着部分を覆う第２保護層を有する請求項１又は２記載のフレキシブル回路基板。
【請求項４】
前記貫通孔は前記導電層側に向かうに従い小さくなるように内周面が傾斜している請求項１乃至３の何れか１項記載のフレキシブル回路基板。
【請求項５】
前記貫通孔の周辺に突出部が形成されている請求項１乃至４の何れか１項記載のフレキシブル回路基板。
【請求項６】
前記導電層は導電性粒子がバインダーに分散してなり、前記導電層中の前記導電性粒子の含有量が８５質量％以上９６質量％以下である請求項１乃至５の何れか１項記載のフレキシブル回路基板。
【請求項７】
前記導電層の厚さが２μｍ以上５０μｍ以下である請求項１乃至６の何れか１項記載のフレキシブル回路基板。
【請求項８】
前記基材の厚さが１０μｍ以上２００μｍ以下である請求項１乃至７の何れか１項記載のフレキシブル回路基板。
【請求項９】
フレキシブル回路シートに電極を有する電子部品を実装して形成されるフレキシブル回路基板の製造方法であって、
樹脂フィルムからなる基材の一面側に導電層を形成する工程と、
前記基材の他面側からレーザーを照射し前記基材に貫通孔を形成し前記導電層を露出する工程と、
前記貫通孔を通じて前記導電層に電子部品の前記電極を載置するとともに前記貫通孔に導電性接着剤を充填し硬化させる工程と、
を有するフレキシブル回路基板の製造方法。
【発明の詳細な説明】
【技術分野】
【０００１】
本発明は、樹脂フィルムを基材とするフレキシブル回路シート上に電子部品が載置されて形成されるフレキシブル回路基板およびフレキシブル回路基板の製造方法に関するものである。
【背景技術】
【０００２】
柔軟性があり、弱い力で繰り返し変形させることが可能であり、変形した状態でもその電気的特性を維持する性質を有するフレキシブル回路基板は、様々な電気製品に応用されている。【０００３】
こうしたフレキシブル回路基板は、樹脂フィルムを基材とするフレキシブル回路シートに電子部品を実装することで製造される。【０００４】
フレキシブル回路シートへの電子部品の実装は、例えば特許文献１に示すように、フレキシブル回路シートに形成された配線パターンに導電性接着剤を塗布した後、この塗布部分に電子部品のリード（電極）を圧着して実装することで行われている。【０００５】
図８は、こうした従来のフレキシブル回路基板２００の一例を示す要部断面図である。従来のフレキシブル回路基板２００は、樹脂フィルムからなる基材４０上に配線パターンとなる導電層７０が形成されたフレキシブル回路シート９０を備えるとともに、導電性接着剤が硬化して形成される導電性接着部６０により電子部品の電極３０が導電層７０上に固定されて形成されている。
【先行技術文献】
【特許文献】
【０００６】
【特許文献１】特開平０７−１７００４８号公報
【発明の概要】
【発明が解決しようとする課題】
【０００７】
しかし、従来のフレキシブル回路基板２００では、導電性接着剤により形成される配線パターンのはみ出しにより電子部品の隣り合う電極３０同士が短絡する恐れがある。そのため、はみ出しを生じない程度の少量の導電性接着剤により電極３０の固定を行う必要があった。【０００８】
そして、導電性接着剤の量が少なくなると接着部位における接着強度が不足するため、フレキシブル回路シートの湾曲や衝撃によって電子部品が剥離しやすいという課題があった。【０００９】
そこで本発明は上述した課題に鑑みてなされたものであり、従来よりも多くの導電性接着剤を使用しても電極同士の短絡を効果的に防止するとともに、電子部品とフレキシブル回路シートの固着力を高めることのできるフレキシブル回路基板及びフレキシブル回路基板の製造方法を提供することを目的とする。
【課題を解決するための手段】
【００１０】
本発明に係るフレキシブル回路基板は、フレキシブル回路シートに電極を有する電子部品を実装して形成されるフレキシブル回路基板であって、フレキシブル回路シートは、樹脂フィルムからなる基材と、基材に形成された貫通孔と、基材の一面側から貫通孔を覆う、回路パターンとなる導電層と、を有し、電子部品の電極が基材の他面側から貫通孔を通じて導電層上に載置されているとともに、貫通孔内に導電性接着剤が硬化した導電性接着部が形成されていることを特徴とする。【００１１】
こうした本発明によると、貫通孔内に導電性接着剤を充填することができ、従来よりも導電性接着剤を多く用いることができる。そのため、電子部品とフレキシブル回路シートとの固着力を高めることができ、フレキシブル回路基板が変形した際にも電子部品が剥離することを防止することができる。また、導電性接着剤が貫通孔内に留まるため導電性接着剤のはみ出しも防止され、電極同士の短絡を効果的に防止することができる。【００１２】
また、本発明は、導電層の基材側と反対側の表面を覆う第１保護層を有する態様とすることができる。【００１３】
こうした態様により、貫通孔の形成時に導電層の一部が貫通してしまっても、保護層により当該貫通箇所を閉塞することができる。【００１４】
また、本発明は、導電性接着部と電極との接着部分を覆う第２保護層を有する態様とすることができる。【００１５】
こうした態様により、導電性接着部の耐候性を高めることができる。【００１６】
また、本発明は、貫通孔の内周面が導電層側に向かうに従い径が小さくなるよう傾斜している態様とすることができる。【００１７】
こうした態様により、貫通孔の内周面における導電性接着部との接着面積をより広く確保することができ、固着力をより高めることができる。【００１８】
また、本発明は、貫通孔の周辺に突出部が形成されている態様とすることができる。【００１９】
こうした態様により、突出部の無い貫通孔と比較して導電性接着剤の塗布量を多くすることができ、電極と基材の固着面をより広くして、固着力を更に高めることができる。【００２０】
また、本発明は、導電層が導電性粒子をバインダーに分散してなり、導電層中の導電性粒子の含有量が８５質量％以上９６質量％以下である態様とすることができる。【００２１】
こうした態様により、導電層の厚みを薄くしても、基材に貫通孔を形成しながらも導電層については貫通させずに残存させることができる。また、バインダーの導電性粒子の保持力を確保し、導電層が脆くなることを防止することができる。【００２２】
また、本発明は、導電層の厚さが２μｍ以上５０μｍ以下である態様とすることができる。【００２３】
こうした態様により、導電層の材料である導電性ペーストの使用量を抑えコストの増加を抑制しつつ、レーザー加工の際に基材とともに導電層が除去されることを防止することができる。【００２４】
また、本発明は、基材の厚さが１０μｍ以上２００μｍ以下である態様とすることができる。【００２５】
こうした態様により、基材としての十分な強度と耐久性を確保しつつ、レーザーによる加工性を良好なものとすることができる。【００２６】
本発明に係るフレキシブル回路基板の製造方法は、フレキシブル回路シートに電極を有する電子部品を実装して形成されるフレキシブル回路基板の製造方法であって、樹脂フィルムからなる基材の一面側に導電層を形成する工程と、前記基材の他面側からレーザーを照射し前記基材に貫通孔を形成し前記導電層を露出する工程と、前記貫通孔を通じて前記導電層に電子部品の前記電極を載置するとともに前記貫通孔に導電性接着剤を充填し硬化させる工程と、を有することを特徴とする。【００２７】
こうした本発明によると、導電層上への電子部品の固定に際して従来よりも多くの導電性接着剤を用い、電子部品とフレキシブル回路シートとの固着力を高めつつ、導電性接着剤のはみ出しが防止され電極同士の短絡が効果的に防止されたフレキシブル回路基板を提供することができる。また、レーザーを用いることで、貫通孔が複雑な形状や複雑な配置である場合にもこれを容易に製造することができる。
【発明の効果】
【００２８】
上述した本発明によると、従来よりも多くの導電性接着剤を使用しても電極同士の短絡を効果的に防止するとともに、電子部品とフレキシブル回路シートの固着力を高めることができる。これにより、従来よりも電子部品の剥離が少なく、丈夫で信頼性の高いフレキシブル回路基板を提供することができる。
【図面の簡単な説明】
【００２９】
【図１】第１実施形態に係るフレキシブル回路基板を示す平面図。
【図２】図１のＡ−Ａ断面図。
【図３】フレキシブル回路基板の製造方法の第１の工程を示す要部断面図。
【図４】フレキシブル回路基板の製造方法の第２の工程を示す要部断面図。
【図５】第２実施形態に係るフレキシブル回路基板を示す要部断面図。
【図６】第３実施形態に係るフレキシブル回路基板を示す要部断面図。
【図７】第４実施形態に係るフレキシブル回路基板を示す要部断面図。
【図８】従来のフレキシブル回路基板を示す要部断面図。
【発明を実施するための形態】
【００３０】
以下、本発明の実施形態に係るフレキシブル回路基板について図を参照しつつ説明する。
【００３１】
第１実施形態［図１、２］
第１実施形態に係るフレキシブル回路基板１は、フレキシブル回路シート９に電極としてのリード３を有する電子部品２が導電性接着部６により固定されて形成されている。導電性接着部６とは、硬化した導電性接着剤によるリード３の固定部位をいう。
【００３２】
フレキシブル回路シート９は、基材４と、基材４に形成された貫通孔５と、基材４の一面側から貫通孔５を覆う、回路パターンとなる導電層７とを有して形成されている。
【００３３】
基材４は、樹脂フィルムにより形成されている。この樹脂フィルムの材料としては、例えばポリエチレンテレフタレート（ＰＥＴ）樹脂、ポリエチレンナフタレート（ＰＥＮ）樹脂、ポリカーボネート（ＰＣ）樹脂、ポリイミド（ＰＩ）樹脂、メタアクリル（ＰＭＭＡ）樹脂、ポリプロピレン（ＰＰ）樹脂、ポリウレタン（ＰＵ）樹脂、ポリアミド（ＰＡ）樹脂、ポリエーテルサルフォン（ＰＥＳ）樹脂、ポリエーテルエーテルケトン（ＰＥＥＫ）樹脂、トリアセチルセルロース（ＴＡＣ）樹脂、シクロオレフィンポリマー（ＣＯＰ）等などから形成することができる。これらの中で、レーザー加工性の観点からポリエチレンテレフタレート（ＰＥＴ）樹脂が好ましい。
【００３４】
樹脂フィルムとしては、導電層や導電性接着剤との密着性を高めるプライマー層や、表面保護層、帯電防止等を目的とするオーバーコート層などのうち有機高分子からなる表面処理を施したものを用いても良い。
【００３５】
樹脂フィルムの厚みは、１０〜２００μｍとすることが好ましい。２００μｍまでの厚みがあればフレキシブル回路シートとしての強度を充足し、２００μｍを超えて厚くするほど強度を高める必要性に乏しく、厚み方向のスペースが少なくなるという不都合もある。また、２００μｍを超えると、後述する導電層７の厚みに比べて樹脂フィルムの厚みが厚くなりすぎることから、レーザーを用いて加工を行う場合に、導電層７を残して樹脂フィルムを除去するためのレーザー出力の調整が難しくなる。一方、１０μｍ未満では、基材４としての耐久性が不十分となるおそれがある。
【００３６】
貫通孔５は、実装する電子部品２のリード３の配置に適応するパターンとして形成する。具体的には、リード３の外形よりも大きく、且つ隣り合うリード間に基材４が残存するようにする。隣り合うリード３間の貫通孔５が繋がってしまうと、当該繋がる部分を通じて導電性接着剤が流れ出てしまい、隣り合うリード３同士が短絡してしまうためである。
【００３７】
貫通孔５は、その内周面が基材４の表面に対して垂直となるように形成されている。また、貫通孔５は平面視で長円形となるように形成されている。
【００３８】
なお、貫通孔５の平面視における形状は長円形に限らず任意のものとすることができる。ただし、貫通孔５が円形、楕円形、長円形であることにより、矩形となる貫通孔５と異なり内周部分に角部が形成されないため、当該角部に導電性接着剤が行き渡らず空隙部分が形成され、固着力が低下するという不具合の発生を防止することができる。また、レーザーで貫通孔５を形成する場合には、矩形よりも長円形の方が容易に加工することができる。
【００３９】
更に、平面視が円形の貫通孔５よりも長円形の貫通孔５の方が貫通孔５間のピッチを狭くすることができ、電子部品２のリード３が狭ピッチで配置されていても隣接するリード３同士を短絡させることなく配置することが可能となる。
【００４０】
導電層７は、導電性粒子がバインダーに分散した導電性ペースト（導電性塗液）を硬化させて形成されている。導電性ペーストを用いれば印刷により回路パターンを形成できるため、銅箔をエッチングして形成する回路パターンよりも少ない工程数で配線自由度の高いフレキシブル回路シートを安価に製造できる利点がある。
【００４１】
導電性粒子としては、金属でなる粒子を用いることができ、具体的には銀、銅、アルミニウム、ニッケルやそれらの合金、あるいは金属を銀や金でコーティングした粒子を挙げることができる。これらの中でも導電性が高い銀粒子を用いることが好ましい。後述のレーザー処理において、導電層７を除去せずに基材４に貫通孔５を形成するためには、こうした金属でなる粒子が好ましい。これに対して樹脂を金属でコーティングしてなる導電粒子は、レーザーで除去され易いことから用い難い。
【００４２】
バインダーとしては、有機高分子を用いることができる。具体的にはアクリル、エポキシ、ポリエステル、ポリウレタン、フェノール樹脂、メラミン樹脂、シリコーン、ポリアミド、ポリイミド、ポリ塩化ビニル等の各種樹脂を例示することができる。これらの中でもポリエステルが好ましい。
【００４３】
導電性粒子はバインダー中に分散しており、導電層７の導電性粒子とバインダーの合計質量に占める導電性粒子の質量の割合が多いほど、レーザーで基材４に貫通孔５を設ける際に導電層７を除去し難くなる。したがって、導電層７中の導電性粒子の割合は８５質量％以上が好ましく、８８質量％以上がより好ましい。
【００４４】
８５質量％未満ではレーザーを用いた製造方法での製造は困難である。また、８５質量％以上であれば、導電層７の厚みを４〜２０μｍと薄くしても、基材４に貫通孔５を形成しながらも導電層７については貫通させずに残存させることができる。８８質量％以上であれば、基材４の厚さにかかわらず基材４を確実に除去しつつ、導電層７を貫通させずにその一部を残すことができる。
【００４５】
導電層７中の導電性粒子の質量の割合の上限は９６質量％程度である。９６質量％を超えると、バインダーが導電性粒子を保持できず、導電層７が脆くなるおそれがある。
【００４６】
導電層７の厚みは２〜５０μｍとすることができる。また、４〜２０μｍとすることが好ましい。２μｍ未満では、レーザー加工の際に基材４とともにレーザーで除去されるおそれがあり、５０μｍを超えると、導電性ペーストの使用量が増えることからコスト増となる。厚さを４μｍ以上とすれば、レーザー出力の条件幅が広がり製造が容易になる。また、厚さを２０μｍ以下とすれば、導電層７により形成される回路パターンと、その周囲の基材４の表面との間の段差が小さくなり、回路パターン上にさらに保護層等を塗布する際の気泡の混入を抑えることができる。
【００４７】
導電層７は、導電性ペーストを所望の回路パターン形状に印刷して形成することができる。導電性ペーストは、（１）導電性粒子とバインダーを溶剤に溶解したり、（２）導電性粒子とバインダーの前駆体（主剤と硬化剤）を溶剤に溶解したり、（３）バインダーの前駆体が液状の場合には、バインダーの前駆体に導電性粒子を分散させたものを用いることができる。なお、導電性ペーストには前記成分に加えて分散剤、消泡剤、紫外線吸収剤、酸化防止剤などを適宜添加してもよい。
【００４８】
フレキシブル回路シート９への電子部品２の固定は、電子部品２のリード３が貫通孔５を通じて導電層７上に載置されているとともに、貫通孔５内に導電性接着剤が充填され硬化されることで行われる。
【００４９】
導電性接着剤は、導電性粒子がバインダーに分散して形成されている接着剤である。
【００５０】
導電性接着剤に含まれる導電性粒子としては、金属でなる粒子を用いることができ、具体的には銀、銅、アルミニウム、ニッケルやそれらの合金、あるいは金属を銀や金でコーティングした粒子を挙げることができる。これらの中でも導電性が高く、耐候性を備えた銀粒子を用いることが好ましい。
【００５１】
導電性接着剤に含まれるバインダーとしては、有機高分子を用いることができる。具体的にはアクリル、エポキシ、ポリエステル、ポリウレタン、フェノール樹脂、メラミン樹脂、シリコーン、ポリアミド、ポリイミド、ポリ塩化ビニル、などの各種樹脂を例示することができる。これらの中でもエポキシ樹脂を用いることが好ましい。エポキシ樹脂を用いることで、基剤４とリード３との密着性を高めることができる。
【００５２】
フレキシブル回路基板の製造方法［図３、４］
次に、第１実施形態に係るフレキシブル回路基板１の製造方法について説明する。
【００５３】
まず、第１の工程として、図４に示すように、基材４の一面側に導電性ペーストを塗布して導電層７を形成する。
【００５４】
導電性ペーストの塗布方法としては、スクリーン印刷、バーコートによる塗布、ディスペンサーによる塗布などを挙げることができる。それらの中でも、特にスクリーン印刷を採用することが、比較的詳細且つ複雑な回路パターンを安価に形成できる点で好ましい。
【００５５】
次に、第２の工程として、図５に示すように、基材４に対して導電層７が形成されている面とは反対側の面側からレーザーを照射し、導電層７を残して基材４に貫通孔５を形成する。これにより貫通孔５から導電層７が露出した状態となる。
【００５６】
第２の工程で使用するレーザーとしては、炭酸ガスレーザーが好ましい。ＹＡＧレーザーやファイバーレーザー等の固体レーザーでは基材４の除去とともに導電層７も除去され易く、導電層７を残して基材４のみを除去することが困難である。これに対して、炭酸ガスレーザーによれば、厚みの厚い基材４を貫通させながらも厚みの薄い導電層７を残す加工を容易に行うことができる。
【００５７】
上記炭酸ガスレーザーの照射時、導電層７には、その周囲とは色味の異なるレーザー痕領域が形成される。この色味が異なる領域は、導電層７が変質して色味が変わった領域であって、基材４を完全に貫通したときに形成される。したがって、こうした領域を確認することで炭酸ガスレーザーを照射した後の品質確認にも利用できる。
【００５８】
なお、貫通孔５の形成はレーザー以外にも切断刃を用いて行うことが可能である。切断刃は基材４に多数の貫通孔５を形成する場合に複数の貫通孔５を同時に形成することが可能であるという利点がある。ただし、切断刃による場合には複雑な形状や配置となる貫通孔５の加工は困難である一方、レーザーを用いれば、複雑な形状や配置となる貫通孔５の加工を容易に行うことができる。
【００５９】
次に、第３の工程として、貫通孔５を通じて導電層７に電子部品２のリード３が載置されるとともに、貫通孔５に導電性接着剤が充填され硬化される。このようにして、導電性接着部６が形成され、図１及び図２に示すように、電子部品２のフレキシブル回路シート９上への固定が完了した状態となる。
【００６０】
なお、第３の工程では貫通孔５内に挿入された電子部品２のリード３と基材４とを導電性接着剤で固定しているが、先に貫通孔５内に電子部品のリード３を挿入してからその周囲に導電性接着剤を充填してもよいし、予め貫通孔５内に導電性接着剤を充填してから電子部品のリードを貫通孔内に挿入してもよい。
【００６１】
第２実施形態［図５］
第２実施形態に係るフレキシブル回路基板１’は第１実施形態に係るフレキシブル回路基板１に更に第１保護層８及び第２保護層８’が設けられている他は上述した第１実施形態に係る構成と同様の構成を備えている。そのため以下の説明では第１実施形態と異なる第１保護層８及び第２保護層８’について述べる。
【００６２】
本実施形態に係るフレキシブル回路基板１’は、図５に示すように、導電層７の基材４側とは反対側の表面に第１保護層８が形成されている。また、導電性接着部６とリード３の接着部分を覆って第２保護層８’が形成されている。第１保護層８及び第２保護層８’の素材としては、ポリエステル系、塩化ビニル系、又はアクリルウレタン系の各樹脂材料が挙げられる。
【００６３】
導電層７の表面への第１保護層８の形成は、貫通孔５の形成前に行われる。これによりレーザーによる貫通孔５の形成時に導電層７の一部が貫通してしまっても、第１保護層８により当該貫通箇所を閉塞することができる。また、導電性接着部６とリード３の接着部分を覆う第２保護層８’を設けることにより、導電性接着部６の耐候性を高めることができる。これは特に銀を含む導電性接着剤を用いる場合には、銀の腐食を防ぐために特に有効となる。
【００６４】
第３実施形態［図６］
第３実施形態に係るフレキシブル回路基板１０は第１実施形態に係るフレキシブル回路基板１とは異なる形状の貫通孔５’を備える他は上述した第１実施形態に係る構成と同様の構成を備えている。そのため以下の説明では第１実施形態と異なる貫通孔５’について述べる。
【００６５】
本実施形態に係るフレキシブル回路基板１０の貫通孔５’は、先細りする形状、すなわち導電層７側に向かうに従い小さくなるように内周面が傾斜している態様となっている。このような先細りする形状は、炭酸ガスレーザーを用いることで容易に形成することができる。
【００６６】
こうした貫通孔５’は、図２に示すような径が均等な貫通孔５と比べて、内周面における導電性接着部６との接着面積をより広く確保することができ、固着力をより高めることができる。
【００６７】
なお、炭酸ガスレーザーではなく、切断刃を用いて貫通孔５’を形成することもできる。その場合には、あらかじめ切断刃により基材４に貫通孔５’を形成した後、導電層７を形成する。
【００６８】
第４実施形態［図７］
第４実施形態に係るフレキシブル回路基板１００は、上述した第３実施形態に係るフレキシブル回路基板１０とは異なり貫通孔５’の周囲に突出部５１が形成されている他は上述した第３実施形態に係るフレキシブル回路基板１０と同様の構成を備えている。そのため以下の説明では第３実施形態と異なる突出部５１について述べる。
【００６９】
突出部５１は、貫通孔５’の周縁を覆って環状に形成された突条である。突出部５１を備えることで、突出部５１の無い貫通孔５’と比較して導電性接着剤の充填量を多くすることができ、リード３と基材４の固着面をより広くして、固着力を更に高めることができる。このような突出部５１は炭酸ガスレーザーを用いることで容易に形成することができる。
【００７０】
なお、第１実施形態に係る貫通孔５についても同様に突出部５１を形成することができる。この場合も同様に導電性接着剤の充填量を多くすることができ、リード３と基材４の固着面をより広くして、固着力を更に高めることができる。
【００７１】
変形例
電極の形状としては、第１実施形態で示した、いわゆるＳＯＰ（Small Outline Package）型の電子素子の電極形状であるリード３に限定されるものではなく、例えばチップＬＥＤのような平坦な電極パッド、ボール型の電極、ピン型の電極を備えるものであってもよい。
【００７２】
このような構成にしても、貫通孔内に導電性接着剤を充填することができ、従来よりも導電性接着剤を多く用いることができる。そのため、電子部品とフレキシブル回路シートとの固着力を高めることができ、フレキシブル回路基板が変形した際にも電子部品が剥離することを防止することができる。また、導電性接着剤が貫通孔内に留まるため導電性接着剤のはみ出しも防止され、電極同士の短絡を効果的に防止することができる。
【００７３】
なお、第１実施形態で示したリードや、電極パッド、ボール型の電極、ピン型の電極の中では、貫通孔内に深く挿入でき、接着剤と電極表面の接触面積を大きくできるリードやピン型の電極を用いることが好ましい。
【符号の説明】
【００７４】
１、１’、１０、１００、２００      フレキシブル回路基板
２      電子部品
３      リード（電極）
４      基材
５      貫通孔
６      導電性接着部
７      導電層
８      第１保護層
８’      第２保護層
９      フレキシブル回路シート
５１      突出部
【図１】
2017169421.tif 000003
【図２】
2017169421.tif 000004
【図３】
2017169421.tif 000005
【図４】
2017169421.tif 000006
【図５】
2017169421.tif 000007
【図６】
2017169421.tif 000008
【図７】
2017169421.tif 000009
【図８】
2017169421.tif 000010
【国際調査報告】
2017169421.tif 000011
2017169421.tif 000012
2017169421.tif 000013
2017169421.tif 000014